(57)【要約】【課題】  本発明は、簡素な構造からなり、組立性および生産性に優れるとともに記録ディスクメディアの枚数の変更が容易であって、記録ディスクメディアに対してデータを正確に記録し、再生することができる信頼性の高い記録ディスクカートリッジを提供する。【解決手段】  記録ディスクメディアの一例である磁気ディスクメディア４１をカートリッジケースに複数収納する。カートリッジケースは、磁気ディスクメディア４１に平行な下壁を構成する下プレート１０と、下プレート１０の上に積層され固定されて複数の磁気ディスクメディア４１を仕切るインナプレート２０と、インナプレート２０の上に積層され固定されてカートリッジケースの上壁を構成する上プレート３０とを備えて構成する。磁気ディスクメディア４１と対向する位置に除塵フィルタ７を設ける。【選択図】      図２
2006079683.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアに平行な下壁を構成する下プレートと、
前記下プレートの上に積層され固定されて前記複数の記録ディスクメディアを仕切る少なくとも１枚のインナプレートと、
前記インナプレートの上に積層され固定されて前記カートリッジケースの上壁を構成する上プレートとを備えており、
前記記録ディスクメディアと対向する位置に除塵フィルタが配置されていることを特徴とする記録ディスクカートリッジ。
【請求項２】
前記除塵フィルタが、前記記録ディスクメディアの表面に接触していることを特徴とする請求項１に記載の記録ディスクカートリッジ。
【請求項３】
前記除塵フィルタが、前記インナプレートに配置されていることを特徴とする請求項１または請求項２に記載の記録ディスクカートリッジ。
【請求項４】
前記除塵フィルタが、枠体と、前記枠体に張り渡されたシート状のエアフィルタとを備えることを特徴とする請求項１から請求項３のいずれか１項に記載の記録ディスクカートリッジ。
【請求項５】
前記エアフィルタが、前記記録ディスクメディアが回転した際に生じる同伴気流の上流側から下流側に向かって前記記録ディスクメディアに近づくように傾斜していることを特徴とする請求項４に記載の記録ディスクカートリッジ。
【請求項６】
前記枠体が、前記エアフィルタの表面に受ける負荷に応じて弾性的に傾倒するようになっていることを特徴とする請求項４または請求項５に記載の記録ディスクカートリッジ。
【請求項７】
前記カートリッジケースは、前記記録ディスクメディアに対してデータの記録および／または再生を行うヘッドが進入する開口部が形成されているとともに、前記除塵フィルタは、前記記録ディスクメディアの回転軸を挟んだ前記開口部の反対側に配置されていることを特徴とする請求項１から請求項６のいずれか１項に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報
【発明の開示】
【発明が解決しようとする課題】
【０００５】
しかしながら、前記した特許文献１の磁気ディスクカートリッジは、前記した板部材を１枚の磁気ディスクメディアに対して４枚配置した可動なシャッタ部材から構成しているため、構造が複雑であり、磁気ディスクメディアとの平行が保ちにくいという問題がある。また、磁気ディスクカートリッジは、大量に生産する商品であるため、組立性、生産性に優れることが望ましい。さらに、磁気ディスクメディアの枚数を、３枚、５枚などとした磁気ディスクカートリッジを複数種類設定しやすいように、設計変更の自由度が高いことが望ましい。
【０００６】
また、従来の磁気ディスクカートリッジ（例えば、特許文献１参照）には、磁気ヘッドを磁気ディスクメディアにアクセスさせるための開口が設けられている。そして、回転する磁気ディスクメディアが生じさせる気流によって開口から磁気ディスクカートリッジ内に塵埃が入り込む。その一方で、磁気ディスクメディアは、益々、高記録密度化が図られている。そして、このように高記録密度化が図られた磁気ディスクメディアに、磁気ディスクカートリッジ内に入り込んだ塵埃が付着すると、磁気ディスクメディアに対して正確にデータを記録し、再生することができない場合がある。
【０００７】
このような背景に鑑みて本発明がなされたものであり、本発明は、簡素な構造からなり、組立性および生産性に優れるとともに記録ディスクメディアの枚数の変更が容易であって、記録ディスクメディアに対してデータを正確に記録し、再生することができる信頼性の高い記録ディスクカートリッジを提供することを目的とする。
【課題を解決するための手段】
【０００８】
前記した課題を解決するため、本発明の記録ディスクカートリッジは、フレキシブルな複数の記録ディスクメディアをカートリッジケース内に一体回転可能に収納した記録ディスクカートリッジであって、前記カートリッジケースは、前記記録ディスクメディアに平行な下壁を構成する下プレートと、前記下プレートの上に積層され固定されて前記複数の記録ディスクメディアを仕切る少なくとも１枚のインナプレートと、前記インナプレートの上に積層され固定されて前記カートリッジケースの上壁を構成する上プレートとを備えており、前記記録ディスクメディアと対向する位置に除塵フィルタが配置されていることを特徴とする。
【０００９】
このような構成により、本発明の記録ディスクカートリッジは、下プレート、インナプレート、上プレートを積み上げていく形でカートリッジケースが構成される。そのため、インナプレートと記録ディスクメディアの組を一つの単位とでき、インナプレートもすべて同じ部品とすることができて生産性に優れる。そして、組立工程における記録ディスクメディアの持ち運びも下プレートやインナプレートをトレー代わりにして行うことができるのでメディアを損傷・汚損することなく、組立性にも優れる。また、記録ディスクメディアの枚数を変更した仕様としたい場合には、主としてインナプレートの枚数を変えれば済むので仕様の変更が容易である。さらに、仕切り板となるインナプレートはカートリッジケースの一部として固定されているので、記録ディスクメディアとの平行性などの精度を出しやすく、記録ディスクメディアの、特に２０００〜８０００ｒｐｍのような高速での回転安定性を高めることができる。
【００１０】
また、この記録ディスクカートリッジでは、カートリッジケース内に入り込んだ塵埃が記録ディスクメディアと対向する位置に配置された除塵フィルタによって捕獲されるので、カートリッジケース内に入り込んだ塵埃が記録ディスクメディアに付着する恐れが低減される。その結果、この記録ディスクカートリッジでは、記録ディスクメディアに対して正確にデータを記録し、再生することができる。
【００１１】
前記した記録ディスクカートリッジは、前記除塵フィルタが、前記記録ディスクメディアの表面に接触していてもよい。
この記録ディスクカートリッジでは、除塵フィルタが記録ディスクメディアの表面に接触しているので、記録ディスクメディアが回転した際に、記録ディスクメディアの表面に付着している塵埃が除塵フィルタによって払われる。そして、払われた塵埃は、除塵フィルタによって捕獲される。
【００１２】
また、前記した記録ディスクカートリッジは、前記除塵フィルタが、前記インナプレートに配置されていてもよい。
この記録ディスクカートリッジでは、除塵フィルタが記録ディスクメディアとインナプレートとの間に入り込んだ塵埃を捕獲する。
【００１３】
また、前記した記録ディスクカートリッジは、除塵フィルタが、枠体と、前記枠体に張り渡されたシート状のエアフィルタとを備えることができる。
この記録ディスクカートリッジでは、記録ディスクメディアが回転した際に記録ディスクの回転方向に向かって同伴気流を生じさせる。そして、同伴気流がエアフィルタを通過する際に、同伴気流に乗って流れる塵埃はエアフィルタに捕獲される。
【００１４】
また、前記した記録ディスクカートリッジは、前記エアフィルタが、前記記録ディスクメディアが回転した際に生じる同伴気流の上流側から下流側に向かって前記記録ディスクメディアに近づくように傾斜していることが望ましい。
この記録ディスクカートリッジでは、エアフィルタが、同伴気流の上流側から下流側に向かって記録ディスクメディアに近づくように傾斜しているので、エアフィルタが同伴気流の流れの方向に対して直面しているものと比較して、エアフィルタが同伴気流を受けた際の同伴気流の乱れは低減される。その結果、本発明の記録ディスクカートリッジによれば、同伴気流の乱れが低減されるので、記録ディスクメディアは安定した回転を維持することができる。
【００１５】
また、前記した記録ディスクカートリッジは、前記枠体が、前記エアフィルタの表面に受ける負荷に応じて弾性的に傾倒するようになっていてもよい。
この記録ディスクカートリッジでは、記録ディスクメディアの回転速度が速まっていくにしたがって、同伴気流の速度も速まっていく。そして、同伴気流が速まっていくと、エアフィルタの表面が受ける負荷は増大していく。したがって、この記録ディスクカートリッジでは、記録ディスクメディアの回転速度が速まっていくにしたがって、エアフィルタは、傾倒していくので記録ディスクメディアから離れる方向に変位する。その結果、エアフィルタが記録ディスクメディアに接触しているものにあっては、記録ディスクメディアの回転速度が速まっていくにしたがって、記録ディスクメディアに対するエアフィルタの摩擦抵抗が減じていくので、記録ディスクメディアの高速回転の維持が容易になる。
【００１６】
また、前記した記録ディスクカートリッジにおいて、前記カートリッジケースは、前記記録ディスクメディアに対してデータの記録および／または再生を行うヘッドが進入する開口部が形成されているとともに、前記除塵フィルタは、前記記録ディスクメディアの回転軸を挟んだ前記開口部の反対側に配置されていることが望ましい。
この記録ディスクカートリッジでは、カートリッジケースの開口部近傍と比較して、記録ディスクメディアの回転軸を挟んだ開口部の反対側は、同伴気流の流れが安定する。その結果、開口部の反対側に除塵フィルタが配置されたこの記録ディスクカートリッジでは、安定した同伴気流に乗って流れる塵埃を効率良く捕獲することができる。
【発明の効果】
【００１７】
本発明によれば、下プレート、インナプレート、上プレートを積み上げていく形でカートリッジケースが構成されるので、部品の共通化により生産性の向上が可能となり、記録ディスクメディアをインナプレートなどに載せて持ち運ぶことで、記録ディスクメディアを、損傷・汚損することなく、組立性にも優れる。
また、主としてインナプレートの枚数を変更することで容易に記録ディスクメディアの枚数の変更を行うことができる。
また、カートリッジケース内に入り込んだ塵埃が除塵フィルタによって捕獲されるので、記録ディスクメディアに塵埃が付着する恐れが低減され、記録ディスクメディアに対してデータをより正確に記録し、再生することができる。
【発明を実施するための最良の形態】
【００１８】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの外観斜視図であり、図２は、図１の磁気ディスクカートリッジの分解斜視図であり、図３（ａ）は、図２の磁気ディスクカートリッジのシャッタが閉じている状態を示す図、図３（ｂ）は、磁気ディスクカートリッジが磁気ディスクドライブに装填されて、シャッタが開いている状態を示す図であり、図４は、除塵フィルタの斜視図であり、図５は、インナプレートの裏側を示す斜視図であり、図６は、上プレートの裏側を示す斜視図であり、図７は、上ロータの裏側を示す斜視図であり、図８は、図３（ｂ）におけるVIII−VIII断面図であり、図９は、図８の部分拡大図であり、図１０は、磁気ディスクメディアの積層構造を示す分解斜視図であり、図１１（ａ）乃至図１１（ｄ）は、防塵フィルタの動作を示す模式図である。なお、図８および図９において、除塵フィルタの記載は便宜上省略している。そして、以下の説明において、上下は、磁気ディスクカートリッジの典型的な使用状態を基準とし、便宜上磁気ディスクメディアの面に垂直な方向を上下と称するとともに、上側を表側と称し、下側を裏側と称する。
【００１９】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを備えている。この磁気ディスクカートリッジ１は、下プレート１０、４枚のインナプレート２０および上プレート３０がこの順に積層されるとともに、これらが４つのネジ９１で締結され固定されることによってカートリッジケース２が形成されている。
【００２０】
図２に示すように、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３により係合して５枚の磁気ディスクメディア４１（この積層・一体化された磁気ディスクメディア４１をディスクスタック４０（図８参照）とする）を一体に回転するようになっている。
【００２１】
各インナプレート２０は、平板状の主プレート２１の外周縁に上下のプレートと当接するリブ２２が形成されている。インナプレート２０の図２における右手前側の一部は、磁気ヘッド６３（図８参照）が磁気ディスクメディア４１上に移動しやすいように切欠２３を形成している。この切欠２３の部分は、前記したリブ２２が形成されておらず、そのためインナプレート２０を積み重ねると、図１に示すようにカートリッジケース２の側面に開口部３が形成される。
【００２２】
この開口部３は、図３（ａ）に示すように、ディスクスタック４０と同軸の回転軸ＡＸ周りに回動するシャッタ４により開閉される。シャッタ４は、図２に示すように下ロータ５１と上ロータ５２とを組み合わせることにより構成されている。
【００２３】
次に、各部材についてより詳細に説明する。
図２に示すように、下プレート１０は、主として略正方形の主プレート１１と、主プレート１１の外周縁に形成されて、インナプレート２０のリブ２２の下面側と当接するリブ１２と、側壁１３とを備えている。側壁１３は、主プレート１１の１つの角（図２においては手前側の角）から所定の範囲、例えば一辺の３分の１程度の範囲に立設されており、およそインナプレート２０を積み重ねた高さで形成されている。
【００２４】
主プレート１１の側壁１３に連なる一方の一辺１１ａ（図２における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図２における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図３（ａ）参照）がギヤ５１ｆに係合すべく図３（ａ）の矢印Ａｒで示す方向へ進入して開口１５へ入り込む通路となっている。
【００２５】
前記したリブ１２は、主プレート１１の外周縁のうち、側壁１３、開口１４および開口１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（裏側の面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図８参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００２６】
インナプレート２０は、図２に示すように、その主プレート２１が、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図２における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００２７】
このようなインナプレート２０の磁気ディスクメディア４１と対向する位置には、次に説明する除塵フィルタ７が配置されている。この除塵フィルタ７は、インナプレート２０の中央開口部２１ｃを挟んだ切欠２３の反対側、言い換えれば、図４に示すように、磁気ディスクメディア４１の回転軸ＡＸを挟んだ開口部３（図３参照）の反対側に位置するように配置されている。
【００２８】
除塵フィルタ７は、図４に示すように、一方向に長い矩形の枠体７１と、枠体７１をインナプレート２０の主プレート２１に支持するための矩形の板状支持体７３と、枠体７１に張り渡されたシート状のエアフィルタ７２とを備えている。この除塵フィルタ７は、枠体７１の一端縁と板状支持体７３の一端縁とが接合されている。そして、枠体７１に張り渡されたエアフィルタ７２が、磁気ディスクメディア４１が回転した際に生じる同伴気流Ｆの上流側から下流側に向かって磁気ディスクメディア４１に近づくように傾斜している。そして、枠体７１は、エアフィルタ７２の表面に負荷が掛かった際、具体的には、例えば、磁気ディスクメディア４１がエアフィルタ７２の表面に接触した際や、高速の同伴気流Ｆをエアフィルタ７２が受けた際に、その負荷に応じて弾性的に傾倒するようになっている。つまり、枠体７１は、その負荷に応じて、板状支持体７３と接合された一端縁周りに回動して板状支持体７３側に向かって変位し、あるいは枠体７１自体が撓んで板状支持体７３側に向かって変位する。そして、枠体７１は、その負荷から開放されると、もとの位置に復元するようになっている。このように枠体７１が変位する除塵フィルタ７は、板状支持体７３と枠体７１とを接合する部分を樹脂などの可撓性材料で形成するか、あるいは枠体７１自体を樹脂などの可撓性材料で形成することによって構成することができる。また、枠体７１や板状支持体７３は金属であってもよい。
板状支持体７３は、主プレート２１上に固着されることによって、枠体７１を主プレート２１に支持している。
【００２９】
このような除塵フィルタ７は、その長手方向が中央開口部２１ｃからインナプレート２０の端縁に向かう方向に沿うように配置されて、磁気ディスクメディア４１の半径方向に延びている。そして、枠体７１に張り渡されたエアフィルタ７２は、磁気ディスクメディア４１が回転していないときに、磁気ディスクメディア４１側寄りの端縁で磁気ディスクメディア４１の表面とわずかに接触するようになっている。
エアフィルタ７２は、織布や不織布などの通気性材料で形成されたシート状部材であり、同伴気流Ｆに含まれる塵埃をその表面で受け止めて捕獲するようになっている。
そして、このような除塵フィルタ７は、図５に示すように、インナプレート２０の裏側にも表側と同様に配置されている。
なお、エアフィルタ７２の材質は、ポリエステル繊維やレーヨン／ポリエステル混紡繊維などが好ましい。
【００３０】
上プレート３０は、図２に示すように、下プレート１０とおよそ対称に形成されている。そして、図６に示すように、上プレート３０は、およそ正方形の主プレート３１に、前記した凹部１４ａ（図２参照）に対応する凹部３４と、リブ１７（図２参照）に対応するリブ３７と、下ロータ支持溝１８（図２参照）に対応する上ロータ支持溝３８が形成されている。なお、主プレート３１の中央に開口は形成されず、側壁１３（図２参照）に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００３１】
下ロータ５１は、図２に示すように、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、下プレート１０のリブ１７に外嵌する円形に形成され、切欠５１ｅは、下プレート１０の凹部１４ａに対応する扇形に形成される。また、リブ５１ｄは、下プレート１０の下ロータ支持溝１８に対応して下ロータプレート５１ａの下面の外周縁に下方に向けて設けられている。
シャッタプレート５１ｂは、開口部３（図３（ａ）参照）とディスクスタック４０（図３（ａ）参照）とを遮断する遮蔽部材であり、切欠５１ｅに隣接して下ロータプレート５１ａの外周縁に沿って立設されている。ギヤ５１ｆは、シャッタ４（図３（ａ）参照）を、磁気ディスクカートリッジ１の外部から開閉操作するために係合される部分であり、下ロータプレート５１ａの外周に、シャッタプレート５１ｂに隣接して所定の範囲に形成されている。
このような下ロータ５１の磁気ディスクメディア４１と対向する位置には、図２に示すように、前記したインナプレート２０と同様の除塵フィルタ７が配置されている。この除塵フィルタ７は、中央開口部５１ｃを挟んだ切欠５１ｅの反対側に配置されている。つまり除塵フィルタ７は、シャッタ４（図１参照）が開かれた際に、カートリッジケース２の開口部３（図１参照）の反対側に位置するようになっている。なお、除塵フィルタ７は、下ロータ５１の表側にのみ配置されている。
【００３２】
上ロータ５２は、図２に示すように、下ロータ５１とおよそ対称に構成されている。すなわち、下ロータプレート５１ａと同様な上ロータプレート５２ａからなり、上ロータプレート５２ａには、上プレート３０のリブ３７（図６参照）に外嵌する中央開口部５２ｃと、凹部３４（図６参照）に対応する切欠５２ｅと、上ロータ支持溝３８（図６参照）に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂ（図７参照）が形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、次に説明する係止部材５３により上プレート３０からの脱落が防止されている。
係止部材５３は、上プレート３０のリブ３７（図６参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
このような上ロータ５２の裏側には、図７に示すように、磁気ディスクメディア４１（図２参照）と対向する位置に、前記したインナプレート２０と同様に除塵フィルタ７が配置されている。この除塵フィルタ７は、中央開口部５２ｃを挟んだ切欠５２ｅの反対側に位置するように配置されている。つまり除塵フィルタ７は、シャッタ４（図２参照）が開かれた際に、カートリッジケース２の開口部３（図１参照）の反対側に位置するようになっている。なお、除塵フィルタ７は、上ロータ５２の裏側にのみ配置されている。
【００３３】
図９に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。ただし、図２、図４および図７に示すように、本実施形態では、除塵フィルタ７が配置された下ロータ５１部分、インナプレート２０部分および上ロータ５２部分は、ライナ４９が切り欠かれている。このようなライナ４９は、例えばポリエステル繊維やレーヨン／ポリエステル混紡繊維などの不織布などからなる。
【００３４】
次に、下プレート１０と、インナプレート２０と、上プレート３０の積層構造について説明する。
下プレート１０のリブ１２は、図９に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図２参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００３５】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００３６】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００３７】
次に、磁気ディスクメディア４１およびその積層構造について説明する。
磁気ディスクメディア４１は、例えばポリエステルなどの樹脂シートに磁性塗料を両面に塗布したものである。
【００３８】
図１０に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３９】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００４０】
このようなスペーサ４３は、図９に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００４１】
なお、最上層のセンタコア４２は、上側に回転係止すべきセンタコアが無いため、その上には下側にのみピン４３ｂを突出させた、厚みの薄いトップスペーサ４３′が配置される。
【００４２】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図９に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００４３】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００４４】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００４５】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００４６】
磁気ディスクカートリッジ１に対し、データの記録、再生を行う磁気ディスクドライブは、図８に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図８、図９に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００４７】
以上のような磁気ディスクカートリッジ１は、図３（ａ）に示すように、不使用時は、シャッタ４を図中左回りに回動させて開口部３を閉塞しておくことで、内部への塵埃の侵入を防止することができる。そして、使用時には、図３（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００４８】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
【００４９】
その一方で、除塵フィルタ７は、図１１（ａ）に示すように、磁気ディスクメディア４１が回転し始めてその周方向Ｇに向けて動き始めると、エアフィルタ７２の端縁が磁気ディスクメディア４１に接触しているので、磁気ディスクメディア４１の表面に付着した塵埃Ｄは、エアフィルタ７２の端縁で払われる。そして、払われた塵埃Ｄはエアフィルタ７２に捕獲される。
【００５０】
次いで、磁気ディスクメディア４１の回転速度が次第に速まっていくと、図１１（ｂ）に示すように、インナプレート２０と磁気ディスクメディア４１との間には、同伴気流Ｆが生じる。そして、カートリッジケース２の開口部３（図１参照）から入り込んだ塵埃Ｄは、同伴気流Ｆに乗ってインナプレート２０と磁気ディスクメディア４１との間を流れる。このとき、磁気ディスクメディア４１と対向する位置に配置された除塵フィルタ７は、塵埃Ｄをエアフィルタ７２の表面で受け止めて捕獲する。
【００５１】
また、枠体７１は、エアフィルタ７２の表面が同伴気流Ｆを受けることによって傾倒する。そして、エアフィルタ７２は磁気ディスクメディア４１から離れる方向に変位する。その結果、磁気ディスクメディア４１は、エアフィルタ７２との摩擦抵抗がなくなって、安定した高速回転を維持することができる。
【００５２】
また、上ロータ５２に配置された除塵フィルタ７（図７参照）は、前記したインナプレート２０の除塵フィルタ７と同様に、磁気ディスクメディア４１が回転し始めた際に、磁気ディスクメディア４１の表面に付着した塵埃Ｄを払う（図１１（ａ）参照）。そして、磁気ディスクメディア４１の回転速度が次第に速まっていくと、図１１（ｃ）に示すように、上ロータ５２と磁気ディスクメディア４１との間には、同伴気流Ｆが生じる。そして、同伴気流Ｆに乗って流れる塵埃Ｄは、上ロータ５２に配設された除塵フィルタ７によって捕獲される。この際、エアフィルタ７２が、同伴気流Ｆによって磁気ディスクメディア４１から離れる方向に変位するので、磁気ディスクメディア４１は、エアフィルタ７２との摩擦抵抗がなくなって、安定した高速回転を維持することができる。
【００５３】
また、下ロータ５１に配置された除塵フィルタ７（図２参照）は、前記したインナプレート２０の除塵フィルタ７と同様に、磁気ディスクメディア４１が回転し始めた際に、磁気ディスクメディア４１の表面に付着した塵埃Ｄを払う（図１１（ａ）参照）。そして、磁気ディスクメディア４１の回転速度が次第に速まっていくと、図１１（ｄ）に示すように、下ロータ５１と磁気ディスクメディア４１との間には、同伴気流Ｆが生じる。そして、同伴気流Ｆに乗って流れる塵埃Ｄは、下ロータ５１に配設された除塵フィルタ７によって捕獲される。この際、エアフィルタ７２が、同伴気流Ｆによって磁気ディスクメディア４１から離れる方向に変位するので、磁気ディスクメディア４１は、エアフィルタ７２との摩擦抵抗がなくなって、安定した高速回転を維持することができる。
【００５４】
また、除塵フィルタ７は、カートリッジケース２の開口部３の近傍と比較して同伴気流Ｆの流れが安定した位置、つまり磁気ディスクメディア４１の回転軸ＡＸを挟んだ開口部３の反対側に配置されているので、安定した同伴気流Ｆに乗って流れる塵埃Ｄを効率良く捕獲することができる。
【００５５】
また、除塵フィルタ７は、エアフィルタ７２が、同伴気流Ｆの上流側から下流側に向かって磁気ディスクメディア４１に近づくように傾斜しているので、例えばエアフィルタ７２が同伴気流Ｆの流れの方向に対して直面しているものと比較して、エアフィルタ７２が同伴気流Ｆを受けた際の同伴気流Ｆの乱れは低減される。その結果、磁気ディスクメディア４１は安定した回転を維持することができる。
【００５６】
また、ライナ４９は、磁気ディスクメディア４１が低速で回転する際に、適宜に磁気ディスクメディア４１に触れることによって磁気ディスクメディア４１上に付着した塵埃を除去する。
【００５７】
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００５８】
このように磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００５９】
また、この磁気ディスクカートリッジ１は、カートリッジケース２の開口部３から入り込んだ塵埃Ｄが除塵フィルタ７によって捕獲されるので、磁気ディスクメディア４１に塵埃Ｄが付着する恐れが低減され、磁気ディスクメディア４１に対してデータをより正確に記録し、再生することができる。
【００６０】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
【００６１】
また、実施形態においては、下プレート１０、インナプレート２０、上プレート３０をネジ９１により締結固定したが、接着、溶着により一体に固定することも可能である。
【００６２】
また、実施形態においては、除塵フィルタ７のエアフィルタ７２の端縁が磁気ディスクメディア４１の表面にわずかに接触しているが、本発明はこれに限定されるものではなく、磁気ディスクメディア４１の回転時および非回転時を問わずに、エアフィルタ７２の端縁が常に磁気ディスクメディア４１の表面から離れているものであってもよい。
【００６３】
また、実施形態においては、除塵フィルタ７として、枠体７１にエアフィルタ７２が張り渡されたものを示したが、本発明はこれに限定されるものではなく、図１２（ａ）に示すように、エアフィルタ７２が、同伴気流Ｆの下流側に向けて枠体７１の端縁からはみ出るように伸長したものであってもよい。また、この除塵フィルタ７は、図１２（ｂ）に示すように、はみ出したエアフィルタ７２部分の両端が、枠体７１の両側から同伴気流Ｆの下流側に向けて延設された支持部材７１ａに支持されたものであってもよい。
このような除塵フィルタ７を備えた磁気ディスクカートリッジ１では、除塵フィルタ７が磁気ディスクメディア４１の表面に接触して磁気ディスクメディア４１の表面に付着した塵埃Ｄを払う際に、付着した塵埃Ｄは、はみ出したエアフィルタ７２部分によってさらに効率的に払われる。特に、図１２（ｂ）に示した除塵フィルタ７は、磁気ディスクメディア４１の外周縁から外側にはみ出るように枠体７１が配置される場合に、はみ出したエアフィルタ７２部分の両端が支持部材７１ａに支持されているので、磁気ディスクメディア４１とはみ出したエアフィルタ７２部分とをより確実に接触させることができる。その結果、磁気ディスクメディア４１の表面に付着した塵埃Ｄは、はみ出したエアフィルタ７２部分によってより効率的に払われる。
【００６４】
また、実施形態においては、除塵フィルタ７として、枠体７１がエアフィルタ７２の表面に受けた負荷によって弾力的に変位するものを示したが、本発明はこれに限定されるものではなく、図１２（ｃ）に示すように、同伴気流Ｆの下流側における枠体７１の端縁と板状支持部体７３との間に、枠体７１の変位を規制する規制部材７１ｂを有する除塵フィルタ７を備えたものであってもよい。
【００６５】
また、実施形態においては、除塵フィルタ７として、枠体７１にエアフィルタ７２が張り渡されたものを示したが、本発明はこれに限定されるものではなく、図１２（ｄ）に示すように、ライナ４９がエアフィルタ７２を兼ねるものであってもよい。つまり、この除塵フィルタ７は、ライナ４９を形成する部材が枠体７１に張り渡されている。
このような除塵フィルタ７を備える磁気ディスクカートリッジ１は、別途にエアフィルタ７２となる部材を準備しなくともよいので、磁気ディスクカートリッジ１の製造コストが低減される。なお、このような磁気ディスクカートリッジ１に使用されるライナ４９は、通気性を有する部材が好ましい。
【００６６】
また、実施形態においては、除塵フィルタ７として、枠体７１にエアフィルタ７２が張り渡されたものを示したが、本発明はこれに限定されるものではなく、図１２（ｅ）に示すように、除塵フィルタ７が通気性を有する素材を楔形に成形したものであってもよい。
【図面の簡単な説明】
【００６７】
【図１】一実施形態に係る磁気ディスクカートリッジの外観斜視図である。
【図２】図１の磁気ディスクカートリッジの分解斜視図である。
【図３】図３（ａ）は、図２の磁気ディスクカートリッジのシャッタが閉じている状態を示す図、図３（ｂ）は、磁気ディスクカートリッジが磁気ディスクドライブに装填されて、シャッタが開いている状態を示す図である。
【図４】除塵フィルタの斜視図である。
【図５】インナプレートの裏側を示す斜視図である。
【図６】上プレートの裏側を示す斜視図である。
【図７】上ロータの裏側を示す斜視図である。
【図８】図３（ｂ）におけるVIII−VIII断面図である。
【図９】図８の部分拡大図である。
【図１０】磁気ディスクメディアの積層構造を示す分解斜視図である。
【図１１】図１１（ａ）乃至図１１（ｄ）は、防塵フィルタの動作を示す模式図である。
【図１２】図１２（ａ）乃至図１２（ｅ）は、他の実施形態に係る磁気ディスクカートリッジに使用される除塵フィルタの斜視図である。
【符号の説明】
【００６８】
１      磁気ディスクカートリッジ
２      カートリッジケース
３      開口部
４      シャッタ
７      除塵フィルタ
１０    下プレート
２０    インナプレート
２３    切欠
３０    上プレート
３４    開口
４０    ディスクスタック
４１    磁気ディスクメディア
４２    センタコア
４３    スペーサ
４４    連結軸
４５    ベアリングボール
４７    センタプレート
４９    ライナ
５１    下ロータ
５２    上ロータ
６１    アクチュエータ
６２    スイングアーム
６３    磁気ヘッド
６５    スピンドル
７１    枠体
７２    エアフィルタ
ＡＸ    回転軸
Ｆ      同伴気流
【図１】
2006079683.tif 000003
【図２】
2006079683.tif 000004
【図３】
2006079683.tif 000005
【図４】
2006079683.tif 000006
【図５】
2006079683.tif 000007
【図６】
2006079683.tif 000008
【図７】
2006079683.tif 000009
【図８】
2006079683.tif 000010
【図９】
2006079683.tif 000011
【図１０】
2006079683.tif 000012
【図１１】
2006079683.tif 000013
【図１２】
2006079683.tif 000014